(57)【要約】      （修正有）【課題】治具の加工が容易で、バリを確実に除去し、丸棒材の径が変わっても治具の交換が不要な、バリ取り装置を提供する。【解決手段】一方の面１ａと、面１ａに背向し面１ａより大きな他方の面１ｂと、一方の面１ａの外周と他方の面１ｂの外周とを繋ぐ傾斜側面部１ｃと、をもつ傘型円盤１と、丸棒材９０をその中心軸を回転軸として回転させる丸棒材回転手段２と、傘型円盤１の中心軸を回転軸として回転させる円盤回転手段３と、丸棒材９０及び傘型円盤１の少なくとも一方を互いに近接する方向に移動させ、傾斜側面部１ｃを端面のエッジに当接させる移動手段４と、を備えることを特徴とする丸棒材のバリ取り装置。【選択図】図１
0003147363.tif 000002
【実用新案登録請求の範囲】
【請求項１】
軸方向に延在する丸棒材の端面のエッジにできるバリを除去するバリ取り装置であって、
一方の面と、該一方の面に背向し該一方の面より大きな他方の面と、該一方の面の外周と該他方の面の外周とを繋ぐ傾斜側面部と、をもつ傘型円盤と、
前記丸棒材を前記軸を回転軸として回転させる丸棒材回転手段と、
前記傘型円盤を中心軸を回転軸として回転させる円盤回転手段と、
前記丸棒材及び前記傘型円盤の少なくとも一方を互いに近接する方向に移動させ、前記傾斜側面部を前記端面のエッジに当接させる移動手段と、を備えることを特徴とする丸棒材のバリ取り装置。
【請求項２】
前記傘型円盤の少なくとも前記傾斜側面部が超硬合金で形成されている請求項１に記載の丸棒材のバリ取り装置。
【請求項３】
前記傾斜面部が拡径方向に凸の凸曲面をもつ請求項１または２に記載の丸棒材のバリ取り装置。
【考案の詳細な説明】
【技術分野】
【０００１】
本考案は、丸棒材のバリ取り装置に関する。
【背景技術】
【０００２】
例えば、みがき棒鋼等の軸方向に延在する金属棒を鋸等で切断した場合、その端面のエッジにはバリを生じてしまう。すなわち、図３に示すように、金属棒が軸方向Ｏ1−Ｏ2に延在する丸鋼９０の場合、この丸鋼９０を鋸で切断すれば、その端面９０ａのエッジ９０bにはバリ９１を生じてしまう。バリは金属棒に限らず、樹脂棒やゴム棒などでも大なり小なりできるため、バリ取りを行う必要がある。
【０００３】
従来、かかる丸棒材の端面におけるバリを除去するためには、ワイヤーブラシ、砥石、切削バイト等の工具をモータ等の回転軸に取付け、作業者がモータ等を手にして工具を回転させつつ丸棒材の端面に押し当て、これにより母体からバリを切削することが行われていた。
【０００４】
しかし、上記従来の方法では、バリだけでなく、微小ながら母体をも切削しやすいため、バリ取り後の丸棒材の品質を損なうおそれがあった。また、このとき、母体の切削により余分な切粉等を生じ、清掃作業も悪化させてしまうので、集塵機を設置する必要がある。
【０００５】
また、この方法では、ワイヤーブラシ等の工具とバリ及び母体との相対摩擦力によりバリを切削するため、工具が切削時に摩耗してしまう。そして、この方法では、工具を端面に押し当てる作業を作業者が行わなければならないため、自動化が困難であった。このため、従来はバリ取りに要するコストの高騰化も生じていた。
【０００６】
そこで、円錐形開口部の傾斜面に丸棒材の端面を押圧してバリを除去するバリ取り装置が開発された（例えば、特許文献１参照。）。
【特許文献１】実開平７−３７５３３号公報
【考案の開示】
【考案が解決しようとする課題】
【０００７】
上記従来のバリ取り装置では、円錐形開口部の傾斜面に押圧するだけなので、バリの取り残しが生じやすい。また、傾斜面をもつ円錐形開口部の加工が難しい。また、丸棒材の径が大きく変わると、その都度円錐形開口部の異なるバリ取り治具を用意する必要がある。
【０００８】
本考案は、上記従来のバリ取り装置の問題に鑑みてなされたもので、治具の加工が容易で、バリを確実に除去し、丸棒材の径が変わっても治具の交換が不要な、バリ取り装置を提供することを課題とする。
【課題を解決するための手段】
【０００９】
上記の課題を解決するためになされた本考案のバリ取り装置は、軸方向に延在する丸棒材の端面のエッジにできるバリを除去するバリ取り装置であって、一方の面と該一方の面に背向し該一方の面より大きな他方の面と、該一方の面の外周と該他方の面の外周とを繋ぐ傾斜側面部と、をもつ傘型円盤と、前記丸棒材を前記軸を回転軸として回転させる丸棒材回転手段と、前記傘型円盤を中心軸を回転軸として回転させる円盤回転手段と、前記丸棒材及び前記傘型円盤の少なくとも一方を互いに近接する方向に移動させ、前記傾斜側面部を前記端面のエッジに当接させる移動手段と、を備えることを特徴とする。
【００１０】
上記のバリ取り装置において、前記傘型円盤の少なくとも前記傾斜側面部が超硬合金で形成されているとよい。
【００１１】
また、前記傾斜側面部が拡径方向に凸の凸曲面もつとよい。
【考案の効果】
【００１２】
回転する丸棒材の端面のエッジに回転する傾斜側面部が当接されるので、互いに直交する相対摩擦力（丸棒材の周方向の摩擦力と傘型円盤の周方向の摩擦力と）が働き、バリが確実に除去される。また、傘型円盤の傾斜側面部を丸棒材の端面のエッジに当接させるだけなので、丸棒材の径が変わっても同一の傘型円盤でバリ取りを行うことができる。また、傘型円盤であるので外周加工で作ることができ、加工が容易である。
【００１３】
傘型円盤の少なくとも傾斜側面部を超硬合金で形成することで、摩耗が少なくなり傘型円盤の寿命が延びランニングコストが安くなる。
【００１４】
傾斜側面部が凸曲面をもつと、バリの排出領域が増え一層確実にバリが除去される。
【考案を実施するための最良の形態】
【００１５】
本考案の実施形態を図面を参照して詳しく説明する。図１は本考案に係るバリ取り装置の概略構成図である。図２は、図１の要部拡大模式図である。
【００１６】
本考案に係るバリ取り装置は、図１及び図２に示すように、一方の面１aと面１aに背向し面１aより大きな他方の面１bと、面１aの外周と面１bの外周とを繋ぐ傾斜側面部１cと、をもつ傘型円盤１と、丸棒材９０を軸O1−O2を回転軸として回転させる丸棒材回転手段２と、傘型円盤１を中心軸O3−O4を回転軸として回転させる円盤回転手段３と、傾斜側面部１cを端面９０aのエッジに当接させる移動手段４と、を備えている。５は、丸棒材９０を丸棒材回転手段２にセットするためのリフト・キャリーである。
【００１７】
傘型円盤１は超硬合金製である。傾斜側面部１cは、例えば、曲率半径が７０ｍｍの拡径方向に凸の凸曲面を備えている。面１aの外周と面１bの外周とを繋ぐ傾斜線１dと面１bとのなす角α＝４５°である。
【００１８】
丸棒材回転手段２は、上下移動手段（不図示）に支持されたモータ駆動のピンチローラ２aと支持ローラ２bとを備えている。丸棒材回転手段２で丸棒９０は、２００ｒｐｍに回転される。
【００１９】
３が円盤回転手段であり、次のように構成されている。すなわち、傘型円盤１の中心に軸受け３bに回転自在に軸支された軸３aが固定され、軸３aに固定されたプーリ３cがモータ３dの回転軸３eに固定されたプーリ３fとベルトで連結されている。円盤回転手段３で傘型円盤１は、例えば７，０００〜１０，０００ｒｐｍに回転される。
【００２０】
移動手段４は、エアーシリンダであり、円盤回転手段３に支持された傘型円盤１を上下に移動させる。
【００２１】
次に、上記バリ取り装置の動作について説明する。
【００２２】
先ず、リフト・キャリー５で丸棒材９０を支持ローラ２bの上にセットする。次にピンチローラ２aを上下移動手段（不図示）で下降させて丸棒材９０に当接させると、丸棒材９０は矢印A方向に２００ｒｐｍの回転数で回転させられる。
【００２３】
次に、円盤回転手段３で７，０００〜１０，０００ｒｐｍの回転数で回転させられた傘型円盤１を移動手段４で上方に移動させて傾斜側面部１cを丸棒材９０の端面９０aのエッジ９０bに当接させる。すると、当接部には丸棒材９０の周方向の摩擦力と傘型円盤１の周方向の摩擦力とが働きバリが除去される。
【００２４】
また、傾斜側面部１cが凸曲面を備えているため、バリの排出領域が拡がりバリの取り残しが少ない。すなわち、図２に示すように、傾斜線１dに平行で凸曲面とＰで接する接線１eと上面１aの延長線との交点をＳ、下面１bの延長線との交点をＱとし、上面１aの端点をＴ、下面１bの端点をＲとすると、略三角形の領域ＰＳＴ及びＰＱＲが生じるため、この領域分バリの排出がよくなる。その結果、バリの取り残しが少なくなる。
【００２５】
直径２０ｍｍの丸鋼（JISG3123）２５，０００本を切断してバリ取り性能を調べた。すなわち、バリ取り後のバリの大きさを測定した結果、２０本の平均値で縦バリ（径方向のバリ）が０．１２ｍｍ、横バリ（軸方向のバリ）が０．０４ｍｍであった。また、２５，０００本のバリ取りを行っても傘型円盤１の摩耗が見られず長寿命であることが確認された。
【図面の簡単な説明】
【００２６】
【図１】本考案に係るバリ取り装置の概略構成図である。
【図２】図１の要部拡大模式図である。
【図３】鋸で切断した丸鋼の斜視図である。
【符号の説明】
【００２７】
１・・・・・・傘型円盤
１a・・・・ 一方の面
１b・・・・ 他方の面
１c・・・・ 傾斜側面
２・・・・・・丸棒材回転手段
３・・・・・・円盤回転手段
４・・・・・・移動手段
O1,O2・・・・ 軸方向
O3,O4・・・・ 中心軸
９０・・・・・丸棒材
９０a・・・ 端面
９０b・・・ エッジ
９１・・・・・バリ
【図１】
0003147363.tif 000003
【図２】
0003147363.tif 000004
【図３】
0003147363.tif 000005